(57)【要約】【課題】  情報端末の充電の完了を通知できること。【解決手段】  情報出力装置は、電源及びアクセサリソケット又はUSBチャージャを結ぶ電源ラインと、前記電源ラインを流れる電流の大きさを検出する電流センサと、前記電流センサの検出値が０より大きい状態から略０になったときに、表示装置に、情報端末の充電が完了したことを表す所定情報を出力する処理装置とを含む。【選択図】  図１
2018068030.tif 000002
【特許請求の範囲】
【請求項１】
情報端末の充電が可能なアクセサリソケット又はUSBチャージャ及び電源間を結ぶ電源ラインと、
前記電源ラインを流れる電流の大きさを検出する電流センサと、
前記電流センサの検出値が０より大きい状態から略０になったときに、表示装置に、情報端末の充電が完了したことを表す所定情報を出力する処理装置とを含む、情報出力装置。
【発明の詳細な説明】
【技術分野】
【０００１】
本開示は、情報出力装置に関する。
【背景技術】
【０００２】
自動車用バッテリから直流電源の供給を受ける負荷に対する電源供給を制御する自動車用電源供給制御装置において、電力量が所定値を超えたときに、電源供給を行う配線上のスイッチング素子をオフ制御する技術が知られている（例えば、特許文献１参照）。
【先行技術文献】
【特許文献】
【０００３】
【特許文献１】特開2000-032676号公報
【発明の概要】
【発明が解決しようとする課題】
【０００４】
しかしながら、上記のような従来の技術では、アクセサリソケット又はUSBチャージャを介した情報端末の充電の完了を表す情報を出力することが難しい。アクセサリソケット等を介した情報端末の充電が完了したことは、ユーザにとって利便性の高い情報である。
【０００５】
そこで、一側面によれば、本発明は、情報端末の充電の完了を通知できることを目的とする。
【課題を解決するための手段】
【０００６】
一側面によれば、情報端末の充電が可能なアクセサリソケット又はUSBチャージャ及び電源間を結ぶ電源ラインと、
前記電源ラインを流れる電流の大きさを検出する電流センサと、
前記電流センサの検出値が０より大きい状態から略０になったときに、表示装置に、情報端末の充電が完了したことを表す所定情報を出力する処理装置とを含む、情報出力装置が提供される。
【発明の効果】
【０００７】
一側面によれば、情報端末の充電の完了を通知できる。
【図面の簡単な説明】
【０００８】
【図１】情報出力装置１の一例を概略的に示す図である。
【図２】処理装置２０の動作例の概略フローである。
【発明を実施するための形態】
【０００９】
以下、添付図面を参照しながら各実施例について詳細に説明する。
【００１０】
図１は、情報出力装置１の一例を概略的に示す図である。
【００１１】
情報出力装置１は、車両に設けられる。情報出力装置１は、電源ライン２と、電流センサ３と、スイッチング素子６と、メータ１０と、処理装置２０と、アクセサリソケット３０とを含む。尚、処理装置２０及びスイッチング素子６は、電源分配ボックス内に搭載されてよい。
【００１２】
電源ライン２は、バッテリである電源４及びアクセサリソケット３０を結ぶ。電源ライン２には、電源４及びアクセサリソケット３０間に、電源スイッチ５と、スイッチング素子６とが設けられる。
【００１３】
電流センサ３は、電源ライン２を流れる電流の大きさ（電流値）を検出する。
【００１４】
スイッチング素子６は、電源４及びアクセサリソケット３０との間の導通状態をオン／オフするスイッチである。スイッチング素子６は、例えばＦＥＴ（Field effect transistor）のようなトランジスタにより形成される。スイッチング素子６は、例えば常態でオン状態である。電源スイッチ５がオン状態であり且つスイッチング素子６がオン状態であると、アクセサリソケット３０を介した情報端末４０（スマートフォンやタブレット等）の充電が可能となる。尚、充電の際、情報端末４０は、充電コード５０を介してアクセサリソケット３０に電気的に接続される。
【００１５】
メータ１０は、マルチインフォメーションディスプレイ１２（表示装置の一例）を備える。
【００１６】
処理装置２０は、通信線６０（例えば、CAN（controller area network）などのバスを介して、メータ１０に通信可能に接続される。処理装置２０は、ＣＰＵ（central processing unit）を含む。
【００１７】
処理装置２０は、スイッチング素子６に電気的に接続される。処理装置２０は、電流センサ３に基づいて過電流を検出したときに、スイッチング素子６をオフし、過電流保護機能を実現する。
【００１８】
処理装置２０は、電流センサ３に電気的に接続される。処理装置２０は、電流センサ３の検出値に基づいて、電流センサ３の検出値が０より大きい状態から略０になったときに、メータ１０のマルチインフォメーションディスプレイ１２に、情報端末４０の充電の完了を表す所定情報を出力する。所定情報は、情報端末４０の充電の完了を表す絵や文字であってよく、例えば「充電完了」のようなメッセージである。
【００１９】
アクセサリソケット３０は、車室内に設けられる。アクセサリソケット３０には、例えば情報端末４０が充電コード５０を介して接続される。これにより、情報端末４０の充電が可能となる。
【００２０】
本実施例によれば、自動車のアクセサリソケット３０で情報端末４０の充電時、充電の電流値を検知し、電流値が略０になったときに所定情報を出力し、運転者等のユーザに充電の完了を通知できる。これにより、ユーザにとって利便性の高い情報を出力できる。
【００２１】
次に、処理装置２０の動作例について、図２の概略フローを参照して概説する。
【００２２】
先ず、ステップＳ０では、処理装置２０は、電源スイッチ５がオン状態であるか否かを判定する。電源スイッチ５がオン状態である場合は、ステップＳ１に進み、それ以外の場合は、今回周期の処理はそのまま終了する。
【００２３】
ステップＳ１では、処理装置２０は、所定情報出力中フラグが"０"であるか否かを判定する。所定情報出力中フラグは、所定情報の出力の有無を表し、所定情報出力中フラグが"１"であるときは、所定情報が出力されている状態を表す。所定情報出力中フラグは、例えば電源スイッチ５のオフ時にリセットされる揮発性メモリ（図示せず）に記憶され、所定情報出力中フラグの初期値は、"０"である。所定情報出力中フラグが"０"である場合は、ステップＳ２に進み、それ以外の場合は、ステップＳ９に進む。
【００２４】
ステップＳ２では、処理装置２０は、放電中フラグが"０"であるか否かを判定する。放電中フラグは、アクセサリソケット３０を介した外部への電流の供給の有無を表し、放電中フラグが"１"であるときは、アクセサリソケット３０を介した外部への電流の供給が有る状態を表す。放電中フラグは、例えば電源スイッチ５のオフ時にリセットされる揮発性メモリ（図示せず）に記憶され、放電中フラグの初期値は、"０"である。放電中フラグが"０"である場合は、ステップＳ３に進み、それ以外の場合は、ステップＳ５に進む。
【００２５】
ステップＳ３では、処理装置２０は、電流センサ３の検出値（最新の検出値）に基づいて、電流センサ３の検出値が０よりも有意に大きいか否かを判定する。電流センサ３の検出値が０よりも有意に大きい場合は、ステップＳ４に進み、それ以外の場合は、今回周期の処理はそのまま終了する。
【００２６】
ステップＳ４では、処理装置２０は、放電中フラグを"１"にセットする。
【００２７】
ステップＳ５では、処理装置２０は、電流センサ３の検出値（最新の検出値）に基づいて、電流センサ３の検出値が略０であるか否かを判定する。略０とは、電源ライン２に電流が流れていないときの電流センサ３の検出値を表す。例えば、処理装置２０は、電流センサ３の検出値が所定閾値以下である場合に、電流センサ３の検出値が略０であると判定する。所定閾値は、例えば、電源ライン２に電流が流れていないときの電流センサ３の検出値の取り得る最大値（許容誤差）に対応する適合値である。電流センサ３の検出値が略０である場合は、処理装置２０は、情報端末４０の充電の完了を検出し、ステップＳ６に進む。他方、電流センサ３の検出値が略０でない場合は、今回周期の処理はそのまま終了する。
【００２８】
ステップＳ６では、処理装置２０は、放電中フラグを"０"にリセットする。
【００２９】
ステップＳ７では、処理装置２０は、メータ１０のマルチインフォメーションディスプレイ１２に所定情報を出力し、所定情報出力中フラグを"１"にセットする。
【００３０】
ステップＳ８では、処理装置２０は、所定時間Ｔ１でタイムアウトするタイマＴｍを起動する。所定時間Ｔ１は、所定情報の出力状態を維持する時間に対応する。
【００３１】
ステップＳ９では、処理装置２０は、タイマＴｍがタイムアウトしたか否かを判定する。タイマＴｍがタイムアウトした場合は、ステップＳ１０に進み、それ以外の場合は、今回周期の処理はそのまま終了する。
【００３２】
ステップＳ１０では、処理装置２０は、所定情報の出力を停止し、所定情報出力中フラグを"０"にリセットする。
【００３３】
図２に示す処理によれば、アクセサリソケット３０を介した外部への電流の供給が停止されたときに（電流センサ３の検出値が略０になったときに）、所定情報を出力できる。情報端末４０の充電が完了したときは、電流センサ３の検出値が略０になる。従って、図２に示す処理によれば、情報端末４０の充電が完了したときに所定情報が出力される可能性が高くなる。
【００３４】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００３５】
上述した実施例において、マルチインフォメーションディスプレイ１２に代えて、ヘッドアップディスプレイのような他の表示装置に所定情報が出力されてもよい。
【００３６】
また、上述した実施例において、USB(Universal Serial Bus)チャージャを備える車両の場合、本発明は、アクセサリソケット３０に代えて又は加えて、USBチャージャを介した充電にも適用できる。
【符号の説明】
【００３７】
１  情報出力装置
２  電源ライン
３  電流センサ
４  電源
５  電源スイッチ
６  スイッチング素子
１０  メータ
１２  マルチインフォメーションディスプレイ
２０  処理装置
３０  アクセサリソケット
４０  情報端末
５０  充電コード
【図１】
2018068030.tif 000003
【図２】
2018068030.tif 000004